(57)【要約】【課題】環状に巻きかけた配線に掛かる負荷を軽減して、配線の破損を防止する。【解決手段】支持アームに配設されると共に電気部品が配設され、駆動手段の駆動に伴って待機位置および可動位置の間で往復回転可能な可動体６１と、支持アームに設けられて可動体６１の回転軸線を囲う環状に延在する環状挿通部１３６と、導入口１４０ａを介して環状挿通部１３６内へフィルムハーネスＦを導入させる配線導入部１４０とを備え、フィルムハーネスＦを保持する配線保持部７０,７１が環状挿通部１３６の内側に臨むよう可動体６１に設けられ、フィルムハーネスＦを待機位置から可動位置への可動体６１の回転方向へ環状に延在させたもとで配線保持部７０,７１に保持して、可動体６１の回転に伴いフィルムハーネスＦの径を縮小・拡大させる。配線保持部７０,７１は、環状挿通部１３６においてフィルムハーネスＦと対向する端縁部が曲面状に形成された。【選択図】図１３
2015198751.tif 000002
【特許請求の範囲】
【請求項１】
動作により演出を行う可動演出手段を備えた遊技機において、
前記可動演出手段は、
支持部と、
前記支持部に配設されると共に電気部品が配設され、駆動手段の駆動に伴って待機位置および可動位置の間で往復回転可能な可動体と、
前記支持部に設けられて前記可動体の回転軸線を囲う環状に延在し、配線を環状に挿通可能な環状挿通部と、
前記支持部に設けられて前記環状挿通部の外周側に配線の導入口が連通し、当該導入口を介して環状挿通部内へ配線を導入させる配線導入部とを備え、
前記電気部品に接続する配線を保持する配線保持部が前記環状挿通部の内側に臨むよう前記可動体に設けられ、
前記配線導入部の導入口を介して環状挿通部に導入された配線が前記待機位置から可動位置への可動体の回転方向へ環状に延在させたもとで前記配線保持部に保持されて、当該待機位置から可動位置への可動体の回転に伴い環状挿通部における配線の径が縮小し、可動位置から待機位置への可動体の回転に伴い環状挿通部における配線の径が拡大するよう構成されると共に、
前記配線保持部は、前記環状挿通部において前記可動体の回転軸線を中心に巻かれる配線部分と対向する端縁部が曲面状に形成された
ことを特徴とする遊技機。
【請求項２】
前記待機位置での配線保持部は、前記可動位置での配線保持部よりも前記配線導入部の導入口に近接して位置するよう構成されて、該導入口を介して配線導入部から導入された配線を前記環状挿通部において環状に１周回させたもとで配線保持部に保持するよう構成された請求項１記載の遊技機。
【請求項３】
前記環状挿通部は、前記可動体の回転軸線方向の一方へ開口するよう前記支持部に設けられて、支持部に着脱可能に取り付けられたカバー部材により当該環状挿通部の開口部を塞ぐよう構成されると共に、
前記カバー部材には、前記可動体の回転軸線を中心とする周方向に離間する位置に、前記環状挿通部に貫通する窓口が形成された請求項１または２記載の遊技機。
【請求項４】
前記配線導入部は、前記環状挿通部の接線方向へ連続するよう設けられて、前記可動体に接続する配線として厚み方向に可撓変形可能なフィルムハーネスが前記可動体の回転軸線方向と幅方向とが平行になる姿勢で当該配線導入部に挿通される請求項１〜３の何れか一項に記載の遊技機。
【請求項５】
前記可動体に設けられた１つの磁石と、
前記可動体の往復移動に伴い可動体に対して相対的に変位する位置に設けられ、当該可動体が待機位置にある状態で前記磁石が磁着する第１の磁着部材と、
前記可動体の往復移動に伴い可動体に対して相対的に変位する位置に設けられ、当該可動体が可動位置にある状態で前記磁石が磁着する第２の磁着部材とを備え、
前記可動体に設けた１つの磁石が前記第１の磁着部材および第２の磁着部材の夫々に磁着することで、往復移動に伴って当該可動体が待機位置および可動位置の両方の位置で保持されるよう構成された請求項１〜４の何れか一項に記載の遊技機。
【請求項６】
前記支持部は、駆動手段の駆動に伴って往復移動するよう構成されると共に、当該支持部の往復移動に伴い前記可動体が支持部に対して姿勢変位するよう構成され、
前記駆動手段の駆動に伴って前記支持部が往復移動することで、前記可動体が待機位置および可動位置の間を往復移動するよう構成された請求項５記載の遊技機。
【請求項７】
前記可動演出手段は、
前記駆動手段が配設されるベース部を備え、当該ベース部に対して前記支持部が往復移動するよう構成され、
前記ベース部に前記第１の磁着部材を配設すると共に、前記支持部に前記第２の磁着部材を配設するよう構成された請求項６記載の遊技機。
【請求項８】
前記ベース部に対して前記支持部の一方端部側が揺動可能に支持されると共に、当該支持部の他方端部側に、支持部の揺動軸線と平行な軸線を中心として回転可能に前記可動体の長手方向の中間位置が支持され、
前記待機位置において前記支持部の揺動軸から離間する外方に位置するよう前記磁石が前記可動体に配設されて、当該待機位置にある磁石が前記ベース部に配設された前記第１の磁着部材に磁着するよう構成された請求項７記載の遊技機。
【発明の詳細な説明】
【技術分野】
【０００１】
この発明は、動作による演出が行なわれる可動演出装置を備えた遊技機に関するものである。
【背景技術】
【０００２】
遊技機の一種としてのパチンコ機は、遊技盤の盤面に画成した遊技領域の略中央位置に枠状に形成された枠状装飾体(所謂センター役物)が配設されており、この枠状装飾体の開口部を介して複数の図柄を変動表示して図柄変動演出を行なう液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞部や、当り遊技の発生時等に開放する特別入賞部を設けるよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞部に入賞することにより、当り遊技を発生させるか否かに関する抽選を行うと共に、この抽選結果を遊技者に報せるリーチ演出等の各種の遊技演出を前記図柄表示装置で行って、当該図柄表示装置に所定の組み合わせで図柄が停止することにより前記特別入賞部が開放して多数の賞球を獲得し得るようになっている。
【０００３】
このようなパチンコ機では、図柄変動演出を行う図柄表示装置の他に、所要の動作により可動演出を行う可動演出装置を配設し、当該可動演出装置に備えた可動体を図柄表示装置で行われる遊技演出に合わせて動作させることにより、視覚的な演出効果を高めるよう構成されたものが提案されている(例えば、特許文献１,２)。
【先行技術文献】
【特許文献】
【０００４】
【特許文献１】特開２０１２−１８７１５５号公報
【特許文献２】特開２０１２−２０５７５８号公報
【発明の概要】
【発明が解決しようとする課題】
【０００５】
ここで、前記可動体と共に発光装置等の電気部品を一体で移動させる場合に、可動体の動作に際して電気部品に接続する配線が屈曲することによる断線等の破損を防止するため当該配線を環状に巻いて、可動体が待機位置から作動位置へ移動する際に環状に巻いた配線の径を拡大させて負荷を低減させる構成が特許文献１に開示されている。この構成であれば、可動体の動作に伴う配線の断線を効果的に防止できるものの、配線がそのまま環状に巻かれて、当該配線の環状部分が支持されていないため、可動体の動作に伴い環状部分が緩んだりして配線形状が安定しない問題がある。これに対して、特許文献２では、筒状に形成した突部に配線を巻きかけるよう構成されて、配線の環状部分が支持されているため、可動体の動作に伴い環状部分が緩む問題はない。一方で、特許文献２では、筒状の突部に環状に巻きかけた配線を屈曲させて、当該配線を環状に挿通する環状空間の外部に引き出し、環状空間の外部で配線が固定されている。このため、可動体を回転させた際に、環状空間の外部に引き出すために屈曲させた屈曲部分に応力が集中する懸念がある。
【０００６】
すなわち本発明は、従来の技術に係る遊技機に内在する前記課題に鑑み、これを好適に解決するべく提案されたものであって、環状に巻きかけた配線に掛かる負荷を軽減して、配線の破損を防止し得る遊技機を提供することを目的とする。
【課題を解決するための手段】
【０００７】
前記課題を解決し、所期の目的を達成するため、本願の請求項１に係る発明は、
動作により演出を行う可動演出手段(60A,60B)を備えた遊技機において、
前記可動演出手段(60A,60B)は、
支持部(121,122)と、
前記支持部(121,122)に配設されると共に電気部品(66)が配設され、駆動手段(150)の駆動に伴って待機位置および可動位置の間で往復回転可能な可動体(61,62)と、
前記支持部(121,122)に設けられて前記可動体(61,62)の回転軸線を囲う環状に延在し、配線(F)を環状に挿通可能な環状挿通部(136)と、
前記支持部(121,122)に設けられて前記環状挿通部(136)の外周側に配線(F)の導入口(140a)が連通し、当該導入口(140a)を介して環状挿通部(136)内へ配線(F)を導入させる配線導入部(140)とを備え、
前記電気部品に接続する配線(F)を保持する配線保持部(70,71)が前記環状挿通部(136)の内側に臨むよう前記可動体(61,62)に設けられ、
前記配線導入部(140)の導入口(140a)を介して環状挿通部(136)に導入された配線(F)が前記待機位置から可動位置への可動体(61,62)の回転方向へ環状に延在させたもとで前記配線保持部(70,71)に保持されて、当該待機位置から可動位置への可動体(61,62)の回転に伴い環状挿通部(136)における配線(F)の径が縮小し、可動位置から待機位置への可動体(61,62)の回転に伴い環状挿通部(136)における配線(F)の径が拡大するよう構成されると共に、
前記配線保持部(70,71)は、前記環状挿通部(136)において前記可動体(61,62)の回転軸線を中心に巻かれる配線部分と対向する端縁部が曲面状に形成されたことを要旨とする。
【０００８】
このように、可動体に設けた配線保持部を環状挿通部の内側に臨ませて、当該環状挿通部で環状に延在させた配線を当該配線保持部に保持することで、環状挿通部から外部に引き出すために配線を屈曲させる必要がない。従って、可動体を回転させた際に、配線の屈曲部分に応力が集中して断線等が生ずるのを効果的に防止し得る。しかも、環状挿通部内で環状に巻かれた配線と対向する配線保持部の端縁部を曲面状に形成したことで、環状挿通部の内側で移動する配線保持部と接触に伴って配線が摩耗したり、傷つけられるのを効果的に防止することができる。
【０００９】
請求項２に係る発明は、
前記待機位置での配線保持部(70,71)は、前記可動位置での配線保持部(70,71)よりも前記配線導入部(140)の導入口(140a)に近接して位置するよう構成されて、該導入口(140a)を介して配線導入部(140)から導入された配線(F)を前記環状挿通部(136)において環状に１周回させたもとで配線保持部(70,71)に保持するよう構成されたことを要旨とする。
このように、待機位置から可動位置への可動体の回転に伴い環状挿通部における配線の径が縮小し、可動位置から待機位置への可動体の回転に伴い環状挿通部における配線の径が拡大するよう構成したことで、待機位置にある状態で配線に掛かる負荷が軽減され、配線の断線防止を効果的に防止し得る。更に、可動位置における配線保持部よりも待機位置における配線保持部の方が配線導入部の導入口に近接して位置することで、環状挿通部内において配線を１周回させるだけでよく、可動体に配設される電気部品に接続する配線の配線長を短くできる。
【００１０】
請求項３に係る発明は、
前記環状挿通部(136)は、前記可動体(61,62)の回転軸線方向の一方へ開口するよう前記支持部(121,122)に設けられて、支持部(121,122)に着脱可能に取り付けられたカバー部材(143)により当該環状挿通部(136)の開口部を塞ぐよう構成されると共に、
前記カバー部材(143)には、前記可動体(61,62)の回転軸線を中心とする周方向に離間する位置に、前記環状挿通部(136)に貫通する窓口(143a)が形成されたことを要旨とする。
このように、環状挿通部の開口部を塞ぐカバー部材に窓口を形成して、当該環状挿通部内を目視し得るよう構成したことで、可動体の回転動作に伴う配線の断線や摩耗等の発生を外部から容易に確認でき、可動体の回転動作の確認やメンテナンス作業等を効率的に行い得る。
【００１１】
請求項４に係る発明は、
前記配線導入部(140)は、前記環状挿通部(136)の接線方向へ連続するよう設けられて、前記可動体(61,62)に接続する配線として厚み方向に可撓変形可能なフィルムハーネス(F)が前記可動体(61,62)の回転軸線方向と幅方向とが平行になる姿勢で当該配線導入部(140)に挿通されることを要旨とする。
このように、厚み方向に可撓変形可能なフィルムハーネスを用いることで、環状挿通部内で環状に巻いた配線に掛かる負荷を軽減し得ると共に、可動体の回転に合わせて速やかに環状に巻いた配線の径を縮小・拡大させることができる。
【００１２】
請求項５に係る発明は、
前記可動体(61,62)に設けられた１つの磁石(75)と、
前記可動体(61,62)の往復移動に伴い可動体(61,62)に対して相対的に変位する位置に設けられ、当該可動体(61,62)が待機位置にある状態で前記磁石(75)が磁着する第１の磁着部材(93)と、
前記可動体(61,62)の往復移動に伴い可動体(61,62)に対して相対的に変位する位置に設けられ、当該可動体(61,62)が可動位置にある状態で前記磁石(75)が磁着する第２の磁着部材(113)とを備え、
前記可動体(61,62)に設けた１つの磁石(75)が前記第１の磁着部材(93)および第２の磁着部材(113)の夫々に磁着することで、往復移動に伴って当該可動体(61,62)が待機位置および可動位置の両方の位置で保持されるよう構成されたことを要旨とする。
このように、可動体が待機位置にある状態において当該可動体に設けた１つの磁石が第１の磁着部材に磁着すると共に、可動体が可動位置にある状態において当該１つの磁石が第２の磁着部材に磁着するよう構成したことで、待機位置および可動位置の何れの状態にあっても可動体の姿勢安定性を高めることができる。このとき、可動体に１つの磁石を設けるだけでよいため、可動演出装置のコストを押し上げることはない。また、１つの可動体の動作に伴って１つの磁石が移動するだけであるから、遊技機に備えられる磁気センサの設置位置を過剰に制約することはなく、可動演出装置の設計自由度が向上する。
【００１３】
請求項６に係る発明は、
前記支持部(121,122)は、駆動手段(150)の駆動に伴って往復移動するよう構成されると共に、当該支持部(121,122)の往復移動に伴い前記可動体(61,62)が支持部(121,122)に対して姿勢変位するよう構成され、
前記駆動手段(150)の駆動に伴って前記支持部(121,122)が往復移動することで、前記可動体(61,62)が待機位置および可動位置の間を往復移動するよう構成されたことを要旨とする。
このように、駆動手段の駆動に伴って往復移動する支持部に対して可動体が姿勢変位するよう構成することで、可動体の動作範囲を拡大することができる。また、可動体の動作範囲を拡大しても、１つの磁石により可動体を待機位置および可動位置の夫々で安定して保持することができる。
【００１４】
請求項７に係る発明は、
前記可動演出手段(60A,60B)は、
前記駆動手段(150)が配設されるベース部(80)を備え、当該ベース部(80)に対して前記支持部(121,122)が往復移動するよう構成され、
前記ベース部(80)に前記第１の磁着部材(93)を配設すると共に、前記支持部(121,122)に前記第２の磁着部材(113)を配設するよう構成されたことを要旨とする。
このように、駆動手段が設けられるベース部に第１の磁着部材を配設することで、待機位置ではベース部に対して可動体を安定した姿勢で保持し得ると共に、ベース部に対して往復移動する支持部に第２の磁着部材を配設することで、可動位置では支持部に対して可動体を安定した姿勢で保持することができる。このため、待機位置ではベース部と可動体の一体感を高め得ると共に、可動位置では支持部と可動体の一体感を高め得る。
【００１５】
請求項８に係る発明は、
前記ベース部(80)に対して前記支持部(121,122)の一方端部側が揺動可能に支持されると共に、当該支持部(121,122)の他方端部側に、支持部(121,122)の揺動軸線と平行な軸線を中心として回転可能に前記可動体(61,62)の長手方向の中間位置が支持され、
前記待機位置において前記支持部(121,122)の揺動軸(88)から離間する外方に位置するよう前記磁石(75)が前記可動体(61,62)に配設されて、当該待機位置にある磁石(75)が前記ベース部(80)に配設された前記第１の磁着部材(93)に磁着するよう構成されたことを要旨とする。
このように、待機位置において支持部の揺動軸から離間する外方位置において磁石を第１の磁着部材に磁着させることで、可動体を小さな磁力で待機位置に安定的に保持することができる。
【発明の効果】
【００１６】
本発明に係る遊技機によれば、環状に巻いた配線に掛かる負荷を軽減し得ると共に、可動体の動作に伴う配線の損傷を効果的に防止できる。
【図面の簡単な説明】
【００１７】
【図１】本発明の実施例に係るパチンコ機を示す正面図である。
【図２】(a)は遊技盤を示す正面図であって可動体が可動位置に移動した状態を二点鎖線で示し、(b)は上下の可動演出装置を配設した設置部材を示す正面図である。
【図３】実施例に係る上部可動演出装置の分解斜視図である。
【図４】実施例に係る上部可動演出装置の分解斜視図であって、装置本体から可動体および支持アームを分解した状態を示す。
【図５】実施例に係る上部可動演出装置の正面図であって、支持アームおよび可動体が待機位置にある状態を示す。
【図６】実施例に係る上部可動演出装置の正面図であって、支持アームおよび可動体が可動位置にある状態を示す。
【図７】(a)は第１可動体の背面図であり、(b)は第１可動体を背面側から見た分解斜視図であり、(c)は第１可動体における磁石の設置部を拡大して示す分解斜視図である。
【図８】実施例に係る装置本体を示す正面図であって、第１可動体の設置部位を拡大して示す。
【図９】(a)は第１支持アームを前側から見た分解斜視図であり、(b)は、第１支持アームを後側から見た分解斜視図である。
【図１０】実施例に係る上部可動演出装置を第１支持アームのギア収容部の形成位置で縦断した要部を拡大して示す正面図であって、(a)は支持アームおよび可動体が待機位置にある状態を示し、(b)は支持アームおよび可動体が可動位置にある状態を示す。
【図１１】実施例に係る上部可動演出装置を第１支持アームの配線収容部の形成位置で縦断した要部を拡大して示す背面図であって、(a)は支持アームおよび可動体が待機位置にある状態を示し、(b)は支持アームおよび可動体が可動位置にある状態を示す。
【図１２】図１０のＡ−Ａ線断面図である。
【図１３】実施例に係る第１支持アームの配線収容部を示す拡大図であって、(a)は支持アームおよび可動体が待機位置にある状態を示し、(b)は支持アームおよび可動体が可動位置にある状態を示す。
【発明を実施するための形態】
【００１８】
次に、本発明に係る遊技機につき、好適な実施例を挙げて、添付図面を参照しながら以下詳細に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１９】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２(図示せず)が開閉および着脱可能に組み付けられて、該遊技盤２０の裏側に、所定条件の成立(後述する第１または第２の始動入賞部３５,４１の始動入賞口へのパチンコ球の入賞)を契機として演出用の図柄(飾図という)を表示部１７ａに変動表示させて図柄変動演出を行う図柄表示装置１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記上球受け皿１４は、前記前枠１３と別体に形成してもよい。なお、球受け皿１４,１５については、上下２枚の球受け皿１４,１５を備えるものに限らず、１枚の球受け皿１４,１５のみを設ける構成であってもよい。
【００２０】
前記図柄表示装置１７は、各種図柄を表示可能な液晶パネルを収容ケースに収容した液晶表示装置が採用される。実施例に係る図柄表示装置１７は、前記飾図を変動表示可能な図柄表示部(図示せず)が横並び状に３列設けられており、図柄変動演出の開始に伴い各列の飾図が予め定められた変動方向(例えば上から下への縦方向、右から左への横方向等)へ変動表示し、所定のタイミングで各列の飾図が全て停止表示されることで、１回の図柄変動演出が終了するようになっている。実施例では、基本的に飾図が縦方向へ変動表示されるよう構成されている。なお、図柄表示装置１７としては、ドラム式の図柄表示装置１７やドットマトリックス式の図柄表示装置１７等の各種図柄を停止および変動表示可能な従来公知の各種の図柄表示装置１７を採用し得る。
【００２１】
前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、遊技領域２２に打ち出されたパチンコ球が枠状装飾体５０の左側を流下する所謂「左打ち」と、当該パチンコ球が枠状装飾体５０の右側を流下する所謂「右打ち(ゴム打ち)」とを打ち分け得るようになっている。
【００２２】
(遊技盤２０について)
実施例の前記遊技盤２０は、図２に示すように、パチンコ球が流下可能な遊技領域２２が前面側に形成された板状部材(遊技領域形成部材)２１と、該板状部材２１の裏側に配設され、当該板状部材２１との間に収容空間４７を画成する設置部材(収容空間画成部材)４５とから構成されている。前記板状部材２１は、合成樹脂材やベニヤ材等から所定板厚の略矩形状に形成されており、前面(盤面)に配設された略円形状の案内レール２３によりパチンコ球が流下可能な遊技領域２２が画成されている。実施例の板状部材２１は、アクリル樹脂から形成された透明板であって、前記収容空間４７を板状部材２１の前面側から透視し得るようになっている。また、前記板状部材２１と設置部材４５との間の収容空間４７には、可動体６１,６２の動作により演出を行う可動演出装置６０Ａ,６０Ｂが設置されている。なお、前記収容空間４７には、可動演出装置６０Ａ,６０Ｂの他に、発光により演出を行う発光演出装置(図示せず)等の各種部材が設置されている。すなわち、透明な板状部材２１を介して遊技盤２０の前面側から収容空間４７内に配設した可動演出装置６０Ａ,６０Ｂやその他の部材を遊技者が目視し得るよう構成されている。なお、前記図柄表示装置１７は、設置部材４５の裏側に取り付けられて、後述するように設置部材４５に設けた開口部(可視部)４５ｃおよび枠状装飾体５０(後述)の開口部５０ａに配設された透明パネル５１を介して遊技盤２０の前側から視認可能に臨むよう構成される。
【００２３】
前記案内レール２３は、図２に示すように、板状部材２１の左下部から右上部に至るよう左方向に膨出する円弧状に形成された外レール２４と、板状部材２１の右上部、右下部および左上部に至るよう右方向に膨出する円弧状に形成された内レール２５とから構成されている。前記内レール２５は、外レール２４の右上端部に連接して板状部材２１の右上部から下部に亘って配設され、左端縁が右方に凹む円弧状に形成された盤面飾り部材２５ａと、板状部材２１の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記板状部材２１の左上部に開放端が臨むよう配置されて、外レール２４との間に遊技領域２２に開口する発射口を画成するよう構成され、前記打球発射装置から発射されたパチンコ球が発射通路２６の下方開口から飛翔して、当該発射口から遊技領域２２内に打ち出されるようになっている。
【００２４】
前記板状部材２１には、前後に貫通する図示しない装着口が前記遊技領域２２内の適宜位置に開設されて、各装着口に対して各種の遊技盤設置部品が配設されている。なお、実施例の遊技盤２０には、遊技盤設置部品として枠状装飾体５０、第１の始動入賞部３５、第２の始動入賞部４１、特別入賞部４２、普通入賞部３８、ゲート部４３等を設置する装着口が形成されている。そして、前記遊技盤２０の板状部材２１において遊技領域２２の最下部位置に、該遊技領域２２の最下部位置まで流下したパチンコ球を遊技盤２０の外部に排出するアウト口３０が開設されている。なお、前記アウト口３０は、遊技領域２２の最下部位置に形成されており、枠状装飾体５０の左側および右側を流下したパチンコ球が共に到来し得るよう構成されている。すなわち、前記打球発射装置から発射されて遊技領域２２を流下するパチンコ球が前記遊技盤設置部品に設けられた入球部(第１の始動入賞部３５、第２の始動入賞部４１、特別入賞部４２、普通入賞部３８、ゲート部４３等)に入球することにより、入球した入球部に応じた賞球の払い出しや図柄変動演出の実行等の所定の遊技が行われ、遊技領域２２の最下部まで流下したパチンコ球がアウト口３０を介して機外に排出されるよう構成される。なお、前記装着口の形成数は、板状部材２１に対して取り付けられる遊技盤設置部品の配設位置や配設数等に応じて適宜に決定される。
【００２５】
また、前記板状部材２１には、前記遊技領域２２内に多数の遊技釘３２が設けられると共に、後述する枠状装飾体５０の左側方に、遊技領域２２を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、所謂「風車」とも称される部材であって、該回転案内部材３３の回転に伴ってパチンコ球を弾くように左右方向へ放出する部材である。
【００２６】
実施例の前記板状部材２１には、図２に示すように、前記案内レール２３で囲まれた遊技領域２２の略中央の大部分が開口する装着口に、前後に開口する枠状に形成された枠状装飾体５０が取り付けられ、該枠状装飾体５０の開口部５０ａの後方に、前記設置部材４５の開口部４５ｃが位置するようになっている。すなわち、前記枠状装飾体５０の開口部５０ａの後方に前記図柄表示装置１７の表示部１７ａが位置するよう構成されている。なお、枠状装飾体５０は、前記板状部材２１の前面よりも前方へ突出する枠状に形成されて、当該枠状装飾体５０により前記遊技領域２２を左右の球流下領域に区切るよう構成されている。
【００２７】
また、前記板状部材２１には、前記枠状装飾体５０の下方位置(アウト口３０の直上位置)に形成された装着口に、遊技領域２２を流下するパチンコ球が入賞可能な第１の始動入賞部３５が配設されている。第１の始動入賞部３５は、パチンコ球が入賞可能な第１始動入賞口が遊技領域２２内で常に上方開口する常時開放型の入賞部とされ、遊技盤２０の遊技領域２２を流下するパチンコ球の流下態様に応じて任意のタイミングで第１始動入賞口にパチンコ球が入球(入賞)し得るよう構成されている。また、前記板状部材２１には、前記第１の始動入賞部３５の左側方(枠状装飾体５０の左下方位置)に形成された装着口(図示せず)に、遊技領域２２を流下するパチンコ球が入賞可能な普通入賞部３８が複数設けられた普通入賞ユニット３７が配設されている。なお、各普通入賞部３８は、前記第１の始動入賞部３５と同様に、パチンコ球が入賞可能な普通入賞口が遊技領域２２内で常に上方開口する常時開放型の入賞部とされ、遊技盤２０の遊技領域２２を流下するパチンコ球の流下態様に応じて任意のタイミングで普通始動入賞口にパチンコ球が入球(入賞)し得るようになっている。
【００２８】
そして、前記板状部材２１には、前記第１の始動入賞部３５の右側方(枠状装飾体５０の右下方位置)に形成された装着口(図示せず)に、ゲート部４３、第２の始動入賞部４１および特別入賞部４２を有する複合入賞ユニット４０が配設されている。前記ゲート部４３は、パチンコ球が通過可能なゲート入口およびゲート出口が遊技領域２２内で常に上下に開口する常時開放型の入球部とされ、遊技盤２０の遊技領域２２を流下するパチンコ球の流下態様に応じて任意のタイミングでゲート入口をパチンコ球が入球(通過)して、ゲート出口を介して遊技領域２２に排出されるようになっている。また、第２の始動入賞部４１は、パチンコ球が入賞可能な第２始動入賞口を駆動手段の駆動に伴って開放可能に開閉部材４１ａで閉鎖する開閉型の入賞部とされており、遊技盤２０の遊技領域２２を流下するパチンコ球の流下態様および駆動手段の駆動による開閉部材４１ａの開放動作タイミングに応じて第２始動入賞口にパチンコ球が入賞し得るよう構成されている。同様に、特別入賞部４２は、パチンコ球が入賞可能な特別入賞口を駆動手段の駆動に伴って開放可能に開閉部材４２ａで閉鎖する開閉型の入賞部とされており、遊技盤２０の遊技領域２２を流下するパチンコ球の流下態様および図示しない駆動手段の駆動による開閉部材４２ａの開放動作タイミングに応じて特別入賞口にパチンコ球が入賞し得るよう構成されている。なお、図２には、第２の始動入賞部４１および特別入賞部４２の入賞口が対応の開閉部材４１ａ,４２ａで閉鎖された状態を示している。
【００２９】
そして、前記第１の始動入賞部３５、第２の始動入賞部４１、特別入賞部４２および普通入賞部３８の夫々は、各対応の入賞口に入賞したパチンコ球を検出する入賞検出センサ(図示せず)を備えており、各入賞検出センサがパチンコ機１０の裏側に配設された制御基板に配線接続されている。そして、第１および第２の始動入賞部３５,４１が備える入賞検出センサの何れかによるパチンコ球の検出(パチンコ球を検出した検出信号の入力)に伴い特図当り判定条件(当り判定条件)が成立するようになっている。そして、特図当り判定条件が成立することで、特図当り(大当りや小当り)を生起させるか否かに関する特図当り判定が行われ、該判定結果が当りであった場合に、図柄表示装置１７で行われる図柄変動演出の結果として所定の当り表示(例えば同一図柄の３つ揃い等)で飾図が確定停止表示されて、前記特別入賞部４２の開閉部材４２ａを開放する遊技者に有利な当り遊技が付与されるよう構成されている。また、実施例のパチンコ機１０では、前記入賞検出センサがパチンコ球を検出することで賞球払出条件が成立するよう構成されており、当該賞球払出条件の成立に伴ってメイン制御基板が図示しない払出制御装置に制御信号を出力して、所定数の賞球が前記上球受け皿１４または下球受け皿１５に払い出されるようになっている。
【００３０】
また、前記ゲート部４３には、該ゲート口に入球して当該ゲート部４３を通過するパチンコ球を検出するゲートセンサ(図示せず)が設けられている。このゲートセンサは、パチンコ機１０の裏側に配設された制御基板に配線接続されており、該ゲートセンサからメイン制御基板への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記第２の始動入賞部４１の開閉部材４１ａを開放作動されて、当該第２始動入賞口が開放するよう構成されている。なお、実施例では、前記ゲートセンサがパチンコ球を検出することによっては賞球払出条件が成立しないよう設定されており、パチンコ球のゲート部４３の通過に伴って賞球が払い出されないようになっている。
【００３１】
(設置部材４５について)
前記設置部材４５は、前記板状部材２１の外郭形状より僅かに小さな形状に形成された略矩形状の背面板４５ａと、該背面板４５ａの外周縁部から前方に突出する外周壁部４５ｂとから前方に開口した箱状に形成されて(図２(b)参照)、該外周壁部４５ｂの開口前端部を板状部材２１の裏面に当接させた状態で、当該板状部材２１と設置部材４５とがネジにより固定される。また、前記設置部材４５の背面板４５ａには、前記枠状装飾体５０の開口部５０ａと前後に整列する位置に、略矩形状の開口部４５ｃが前後に開口するよう開設されると共に、該背面板４５ａの裏側に前記図柄表示装置１７が着脱自在に取り付けられて、該開口部４５ｃを介して図柄表示装置１７の表示部１７ａが設置部材４５(遊技盤２０)の前側に臨むようになっている。そして、前記設置部材４５における前記開口部４５ｃの上方位置および下方位置の夫々に可動演出装置６０Ａ,６０Ｂが設置されている。なお、前記開口部４５ｃの上方に位置する可動演出装置を上部可動演出装置６０Ａと指称し、開口部４５ｃの下方に位置する可動演出装置を下部可動演出装置６０Ｂと指称して区別する場合がある。
【００３２】
(可動演出装置６０Ａ,６０Ｂについて)
前記上下の可動演出装置６０Ａ,６０Ｂは、図２〜図６に示すように、前記設置部材４５に配設される装置本体８０と、当該装置本体８０に対して変位可能に配設された支持アーム(支持部材)１２１,１２２と、当該支持アーム１２１,１２２に対して変位可能に配設された可動体６１,６２と、駆動モータ(駆動手段)１５０および支持アーム１２１,１２２を連繋接続して駆動モータ１５０の駆動に伴い装置本体８０に対して支持アーム１２１,１２２を変位させる駆動伝達手段１００,１０１と、支持アーム１２１,１２２の動作に伴い当該支持アーム１２１,１２２に対して可動体６１,６２を変位させる作動手段１１０,１１１とを備えている。すなわち、上下の可動演出装置６０Ａ,６０Ｂの可動体６１,６２は、駆動モータ１５０を駆動することで駆動伝達手段１００,１０１を介して移動する前記支持アーム１２１,１２２と一体的に装置本体８０に対して相対的に変位すると共に、当該支持アーム１２１,１２２の移動に伴い前記作動手段１１０,１１１を介して支持アーム１２１,１２２に対して相対的に変位するよう構成されている。ここで、実施例の上下の可動演出装置６０Ａ,６０Ｂは、前記支持アーム１２１,１２２の一方端部側が装置本体８０に対して揺動可能に枢支され、当該支持アーム１２１,１２２の他方端部側に前記可動体６１,６２が回転可能に枢支されており、当該支持アーム１２１,１２２の揺動に伴って可動体６１,６２が回転するよう構成されている。
【００３３】
ここで、前記上部可動演出装置６０Ａは、図２、図５、図６に示すように、前記支持アーム１２１,１２２および可動体６１,６２を左右対称となる関係で備えており、右側の支持アーム１２１を動作することで対応する右側の可動体６１が動作すると共に、左側の支持アーム１２２を動作することで対応する左側の可動体６２が右側の可動体６１と左右対称に動作するようになっている。同様に、前記下部可動演出装置６０Ｂは支持アーム１２１,１２２および可動体６１,６２を左右対称となる関係で備え，左右の支持アーム１２１,１２２および可動体６１,６２が左右対称に動作するよう構成される。なお、以下の説明において、上下の可動演出装置６０Ａ,６０Ｂにおいて右側に位置する支持アームおよび可動体を第１支持アーム１２１および第１可動体６１と指称し、左側に位置する支持アームおよび可動体を第２支持アーム１２２および第２可動体６２と指称する場合がある。
【００３４】
なお、実施例の上部可動演出装置６０Ａおよび下部可動演出装置６０Ｂは、基本的に上下対称な構成に形成されていることから、以下の説明では、上部可動演出装置６０Ａの構成について詳細に説明して、下部可動演出装置６０Ｂに関しては同一の構成部材に対して同一の符号を付して詳細な説明は省略する。また、上下の可動演出装置６０Ａ,６０Ｂにおいて、第１および第２支持アーム１２１,１２２および第１および第２可動体６１,６２の夫々は、基本構成が同一の左右対称部材に形成されていることから、支持アーム１２１,１２２および可動体６１,６２に関しては、上部可動演出装置６０Ａにおける第１支持アーム１２１および第１可動体６１について詳細に説明し、他の支持アームおよび可動体については同一の構成部材に対して同一の符号を付して詳細な説明は省略する。
【００３５】
前記上部可動演出装置６０Ａは、図２に示すように、前記設置部材４５の開口部４５ｃよりも上方に位置するよう装置本体８０が背面板４５ａに取り付けられている。そして、前記駆動モータ１５０を駆動することで、前記上部可動演出装置６０Ａにおける前記第１可動体６１および第２可動体６２の夫々が前記設置部材４５の開口部４５ｃの外方(上方)に退避した待機位置(図２(b)、図５参照)と、当該開口部４５ｃの前方臨む可動位置(図２(a)、図６参照)との間で移動するよう構成されている。なお、上部可動演出装置６０Ａは、待機位置において第１可動体６１および第２可動体６２の長手方向が左右に延在し、待機位置において第１支持アーム１２１の揺動軸８８(後述)から右下方へ向けて当該第１可動体６１の長手方向が延在すると共に、待機位置において第２支持アーム１２２の揺動軸８８(後述)から左下方へ向けて当該第２可動体６２の長手方向が延在する姿勢に変位するようになっている。同様に、前記下部可動演出装置６０Ｂは、前記設置部材４５に開設された開口部４５ｃよりも下方に位置するよう装置本体８０が設置部材４５に取り付けられ、駆動モータ１５０の駆動に伴って下部可動演出装置６０Ｂの第１可動体６１および第２可動体６２の夫々が待機位置から可動位置へ移動するのに伴って、前記上部可動演出装置６０Ａの第１可動体６１および第２可動体６２の夫々と上下対称となるよう姿勢変位するようになっている。なお、図２(a)には、可動位置に移動した上下の可動演出装置６０Ａ,６０Ｂにおける各可動体６１,６２を二点鎖線で示してある。
【００３６】
(第１可動体６１について)
次に、第１可動体６１の構成について説明する。図７に示すように、前記第１可動体６１は、前面を形成する光透過性の前面カバー体９６と、前面カバー体９６の裏側に配設されて当該前面カバー体９６との間に基板収容部６５を画成する後カバー体６４とを備え、前後のカバー体により前記板状部材と平行な方向に長手方向が延在する箱状部材に形成されている。そして、後のカバー体により画成される前記基板収容部６５に、前面カバー体９６に向けて光を照射する発光体が実装された発光体基板６６が収容されており、当該発光体基板６６の発光体を発光させることで前面カバー体９６を透過した光が遊技盤２０の前方へ照射されるようになっている。なお、発光体としてはＬＥＤ等の従来公地の発光体を採用することができる。
【００３７】
また、前記第１可動体６１(後カバー体６４)の後面には、長手方向の略中間位置に、前記作動手段を構成する前記第１支持アーム１２１の連繋ギア１１１に噛合する回転ギア６８が取り付けられると共に、当該回転ギア６８の中心に開設された軸固定孔６８ａに、前後方向へ延在する回転軸６９が固定されている。そして、前記回転ギア６８の後方へ突出する回転軸６９が前記第１支持アーム１２１の軸受け筒部１２７(後述)に前方から挿通されて、当該第１支持アーム１２１に対して第１可動体６１が回転軸６９を中心として回転可能に支持されるようになっている。ここで、実施例の第１および第２可動体６１,６２は、前記回転軸６９を中心として略１８０°の回転範囲で正逆回転し得るよう構成されている。すなわち、第１可動体６１は、待機位置から可動位置へ向けて回転軸６９を中心とする右回転方向へ１８０°回転すると共に、可動位置から待機位置へ向けて回転軸６９を中心とする左回転方向へ１８０°回転するよう構成され、第２可動体６２は、待機位置から可動位置へ向けて回転軸６９を中心とする左回転方向へ１８０°回転すると共に、可動位置から待機位置へ向けて回転軸６９を中心とする右回転方向へ１８０°回転するよう構成されている。
【００３８】
図７、図１２に示すように、前記後カバー体６４には、前記回転軸６９から径方向に離間する位置に、前記基板収容部６５に貫通するスリット孔６４ａが形成されている。そして、前記基板収容部６５に収容された発光体基板６６に接続するフィルムハーネス(配線)Ｆが、前記後カバー体６４のスリット孔６４ａを介して第１可動体６１の後方へ延出するようになっている。このフィルムハーネスＦは、平板状に形成した複数の導線を平行に並べて絶縁体で覆うよう形成されたものであって、その厚み方向に容易に可撓変形させ得るようになっている。
【００３９】
また、前記後カバー体６４には、図７に示すように、前記スリット孔６４ａの開口縁から後方へ延出する配線支持部７０が形成されると共に、当該配線支持部７０に対向する配線挟持片７１が取り付けられて、スリット孔６４ａから可動体６１,６２の後方へ引き出されたフィルムハーネスＦが、当該配線支持部７０および配線挟持片７１の間に挟持保持されるようになっている。すなわち、配線支持部７０および配線挟持片７１がフィルムハーネスＦを保持する保持手段として機能しており、以下の説明において配線保持部７０,７１と指称する場合がある。ここで、前記フィルムハーネスＦは、前記配線支持部７０および配線挟持片７１による保持位置において延在方向を９０度転換するよう捩るように折り曲げられて、前記第１支持アーム１２１の環状挿通部１３６(後述)内において、前記回転軸６９を中心とする環状にフィルムハーネスＦを撓ませ得るようになっている。すなわち、前記フィルムハーネスＦを環状挿通部１３６内で環状に延在させることで、前記第１可動体６１の回転動作に伴ってケーブルに作用する負荷を軽減すると共に、フィルムハーネスＦを折り曲げた重なり部を前記配線支持部７０および配線挟持片７１により挟持固定することで、フィルムハーネスＦの折り曲げ部に応力が集中するのを防止して防いで、断線等の発生を防ぐよう構成されている。
【００４０】
(磁石７５について)
また、図７に示すように、前記第１可動体６１には、前記回転軸６９から当該第１可動体６１の長手方向の一端部に離間した位置に磁石７５が配設されている。そして、前記待機位置において前記装置本体８０に設けられた第１の板金部材９３(後述)に第１可動体６１の磁石７５が磁着すると共に、前記可動位置において前記第１支持アーム１２１に設けられた第２の板金部材１３３(後述)に当該第１可動体６１の磁石７５が磁着するよう構成されている。すなわち、前記第１可動体６１に設けた１つの磁石７５が前記第１および第２の板金部材９３,１３３の夫々に磁着することで、当該第１可動体６１の往復回転移動に伴って待機位置および可動位置の両方の位置で保持されるようになっている。
【００４１】
ここで、前記第１可動体６１には、前記待機位置において、前記第１支持アーム１２１を装置本体８０に支持する揺動軸８８(後述)から離間する外方に位置するよう磁石ホルダ７６が形成されて、当該磁石ホルダ７６に前記磁石７５が配設されるようになっている。すなわち、実施例では、前記待機位置において前記第１支持アーム１２１の揺動軸８８から最も離間する第１可動体６１の端部に磁石７５が配置されており、重力作用(自重)により待機位置から可動位置に変位しようとする力に抗して第１可動体６１および第１支持アーム１２１を待機位置に安定的に保持するために必要とされる磁石７５の磁力を最小限にし得るよう構成されている。
【００４２】
前記磁石ホルダ７６は、図７に示すように、前記後カバー体６４の後面から後方へ突出するよう形成されると共に、前面(前カバー体６３側)に磁石７５の挿入口７６ａが開口するよう形成されて、当該挿入口７６ａを介して磁石７５が磁石ホルダ７６の内部に内挿されるようになっている。そして、前記磁石ホルダ７６の挿入口７６ａがキャップ部材７８で塞がれて、磁石ホルダ７６からの磁石７５の脱落を防ぐよう構成されている。なお、前記キャップ部材７８は、前記挿入口７６ａを介して磁石ホルダ７６の内部に差し込まれる差込部７８ａと、該挿入口７６ａに隣接して形成された係合孔７７に差し込まれて係脱可能に係合する係合爪部７８ｂとを備えており、係合爪部７８ｂを係合孔７７に係合させることで、挿入口７６ａを介して差し込まれた差込部７８ａにより磁石ホルダ７６の所定位置に磁石７５が保持されるようになっている。
【００４３】
(装置本体８０について)
前記装置本体８０は、図４〜図６、図８に示すように、前記設置部材４５における前記背面板４５ａの前面に固定される板状の後側基体部８１と、当該後側基体部８１の前面側に離間して対向するよう配設される板状の前側基体部８２とを備え、当該前後の基体部８１,８２の間に設置空間８０ａが画成された横長の矩形箱状に形成されている。そして、前記前後の基体部８１,８２の間の設置空間８０ａに、前記支持アーム１２１,１２２、可動体６１,６２、駆動伝達手段１００,１０１、作動手段１１０,１１１および駆動モータ１５０の夫々が収容配置されている。ここで、前記前後の基体部８１,８２の間の設置空間８０ａは、装置本体８０の少なくとも下方(設置部材４５に開設した開口部側の方向)へ開口するよう構成されており、前記駆動モータ１５０を駆動させた際に、待機位置から可動位置への移動に伴って当該設置空間８０ａの下方開口を介して第１および第２支持アーム１２１,１２２および第１および第２可動体６１,６２が装置本体８０の下方へ突出して前記図柄表示装置１７の表示部１７ａの前側に移動し得るようなっている。なお実施例では、前記後側基体部８１の外周部から前方へ突出するよう設けられた複数の固定突部８１ａの突出端部に前記前側基体部８２が固定されるよう構成されて、前記装置本体８０の外周部が上下方向および左右側方に開口するようになっており、装置本体８０の上下および左右側方から設置空間８０ａ内を確認し得るようになっている。
【００４４】
また、前記装置本体８０には、図３に示すように、前記前側基体部８２の前面側に、前記第１および第２可動体６１,６２に配設された発光体基板６６および駆動モータ１５０が接続される接続基板９５が配設されており、当該接続基板９５に制御装置(図示せず)が接続されるようになっている。更に、前記接続基板９５の前面側に、前側基体部８２および接続基板９５の前面を被覆する前面カバー体９６が配設されている。すなわち、前記第１および第２可動体６１,６２に配設された発光体基板６６および駆動モータ１５０は、接続基板９５を介して制御装置に電気的に接続されている。また、前記接続基板９５の前面には、前記前面カバー体９６へ向けて光を照射する発光体(図示せず)が実装されており、前記制御装置からの制御信号に基づいて、第１および第２可動体６１,６２の発光体基板６６に設けられた発光体および接続基板９５の発光体が発光および消灯するようになっている。
【００４５】
図４、図６、図８に示すように、前記後側基体部８１には、前記設置部材４５に固定される平板部８３における左右方向の略中央上部位置に、当該平板部８３の後方へ突出すると共に前方および上方へ開口する凹状に形成された段差部８４が設けられている。そして、前記段差部８４の前方に、前記駆動伝達手段を構成する複数の従動ギア１００が回転可能に枢支されている。また、前記段差部８４の前方には、当該段差部８４との間に従動ギア１００を枢支する支持板８５が前記平板部８３の前側に離間して対向するよう配設されると共に、当該支持板８５の前面に、前記駆動モータ１５０が設置されるモータ設置板８６が取り付けられている。そして、前記支持板８５に形成された前後に貫通するモータ軸通孔８５ａおよびモータ設置板８６に形成された前後に貫通するモータ軸通孔８６ａの夫々を介して、前記段差部８４と支持板８５との間の空間に前記駆動モータ１５０の駆動軸１５０ａが突出するよう構成されて、当該空間内で駆動軸１５０ａに取り付けられた駆動ギア１５１が前記従動ギア１００と噛合するようになっている。ここで、前記支持板８５の左右側方に位置する従動ギア１００の夫々は、前記平板部８３よりも前方へ突出する大きさに形成されており、前記第１および第２支持アーム１２１,１２２の夫々に対応して設けられた後述する揺動板１０１のギア部と噛合するよう構成されており、駆動モータ１５０を駆動することで各揺動板１０１が揺動すると共に、当該揺動板１０１の揺動に伴って各第２支持アーム１２１,１２２が待機位置および可動位置の間で揺動するようになっている。
【００４６】
前記前側基体部８２には、前記後側基体部８１における駆動モータ１５０の配設位置に対応して前後に貫通するモータ支持孔８２ａが形成されており、前後の基体部８１,８２を組み付けた際に、前記モータ設置板８６に配設された駆動モータ１５０の後端部がモータ支持孔８２ａに嵌合して支持されるようになっている。すなわち、前記前側基体部８２に設けたモータ支持孔８２ａに駆動モータ１５０を嵌合させることで、装置本体８０の前後方向の厚みをコンパクトにして、上部可動演出装置６０Ａの小型化を図っている。
【００４７】
また、前記後側基体部８１(平板部８３)の前面には、図４に示すように、前記段差部８４(モータ設置板８６)の下方位置に、前方へ突出する支持突部８７が形成されて、当該支持突部８７の突出端部に、前記作動手段を構成する作動板１１０(後述)が取り付けられている。前記作動手段の作動板１１０は、前記支持突部８７の突出高さ分だけ前記後側基体部８１の平板部８３の前方へ離間して位置しており、当該平板部８３と作動板１１０との間に前記揺動板１０１が配置されている。そして、前記支持突部８７の左右の端部に、前方へ開口する筒状部８７ａが夫々形成されており、当該左右の筒状部８７ａの夫々に固定された揺動軸８８に対して前記第１および第２支持アーム１２１,１２２が揺動可能に支持されている。なお、前記左右の筒状部８７ａに固定された揺動軸８８は、前記作動板１１０に形成された前後に貫通する通孔１１０ａを介して、当該作動板１１０の前方へ突出するよう構成されて、当該作動板１１０の前方へ突出する揺動軸８８の端部に各支持アーム１２１,１２２が支持されている。また、前記後側基体部８１(平板部８３)の前面において前記支持突部８７を挟む左右両側方には、前方へ開口する軸支持孔８９が夫々形成されており、当該軸支持孔８９に支持された支軸９０の夫々に、前記揺動板１０１が揺動可能に支持されている。
【００４８】
更に、前記後側基体部８１(平板部８３)には、図４、図６に示すように、前記軸支持孔８９に支持された支軸９０に支持された左右の揺動板１０１を挟む左右両側方に、前記第１および第２支持アーム１２１,１２２を支持する左右の揺動軸８８を中心とする円弧状に延在する円弧状ガイド孔９１が前後に貫通するよう形成されている。そして、右側に位置する円弧状ガイド孔９１に前記第１支持アーム１２１に形成されたガイド軸１２９(後述)が前方から挿入されると共に、左側に位置する円弧状ガイド孔９１に前記第２支持アーム１２２に形成されたガイド軸１２９(後述)が前方から挿入され、当該ガイド軸１２９が円弧状ガイド孔９１内を移動し得る範囲で第１および第２支持アーム１２１,１２２が揺動可能になっている。
【００４９】
また、図４、図６、図８に示すように、前記後側基体部８１(平板部８３)の左右の両端部位置には、磁石７５が磁着可能な第１の板金部材(第１の磁着部材)９３が配設されており、前記第１および第２可動体６１,６２が待機位置にある状態で、各可動体６１,６２に設けられた磁石７５(後述)が対応する左右の第１の板金部材９３に磁着するよう構成されている。すなわち、第１の板金部材９３は、可動体６１,６２の往復移動に伴い当該可動体６１,６２に対して相対的に変位する装置本体８０に設けられている。ここで、第１の板金部材９３は、前記後側基体部８１に固定される固定板部９３ａと、当該固定板部９３ａの下端から前方へ向けて延在する磁着板部９３ｂとからなるＬ字状に磁石が時着可能な金属板を屈曲して形成されており、可動位置から待機位置へ第１可動体６１を移動した際に、前記第１支持アーム１２１の移動方向(下方から上方への移動方向)と同じ向きとなる下方側から当該第１可動体６１の磁石７５が対応する磁着板部９３ｂに移動して磁着するようになっている。
【００５０】
更に、図４、図６に示すように、前記後側基体部８１(平板部８３)の左右の両端下部位置には、前記作動板１１０の配設位置方向および下方へ開口するガイド部９７が設けられており、可動位置から待機位置へ移動する際に前記支持アーム１２１,１２２に形成されたガイド突片１４５(後述)を案内するようになっている。ここで、ガイド部９７は、前記後側基体部８１(平板部８３)に形成された後ガイド面９７ａと、当該後ガイド面９７ａに対向配置される支持体９７ｂに形成された前ガイド面９７ｃとから構成されている。また前記後ガイド面９７ａおよび前ガイド面９７ｃは、下方へ向かうにつれて相互に離間するよう湾曲させて形成されており、可動位置から待機位置へ移動する際に下方から移動する前記支持アーム１２１,１２２のガイド突片１４５を容易に受け入れ得るようになっている。また、右側のガイド部９７の上方には、第１支持アーム１２１に形成された位置検出片１４６を検出する位置検出センサ９８が配設されており、当該位置検出センサ９８が位置検出片１４６を検出することで、第１および第２支持アーム１２１,１２２の待機位置を検出するようになっている。
【００５１】
(揺動板１０１について)
前記揺動板１０１は、図４、図８、図９に示すように、前記装置本体８０の軸支持孔８９に支持された支軸９０が挿通される通孔１０２ａが形成された平板状の支持基板１０２と、当該支持基板１０２に形成されて前記従動ギア１００に噛合する揺動ギア部１０３と、当該支持基板１０２に形成されて前記支持アーム１２１,１２２の作動孔１２８(後述)に挿入される作動軸１０４とを備えている。具体的には、右側の揺動板１０１の作動軸１０４が第１支持アーム１２１の作動孔１２８に挿入されると共に、左側の揺動板１０１の作動軸１０４が第２支持アーム１２２の作動孔１２８に挿入されて、前記駆動モータ１５０を駆動して従動ギア１００が回転するのに伴って当該左右の揺動板１０１が前記支軸１９０を中心として回転して、対応の支持アーム１２１,１２２を揺動させるようになっている。なお、前記揺動ギア部１０３は、前記支持基板１０２の後面に形成され、前記作動軸１０４は、支持基板１０２の前面外周部に前方へ突出するよう形成されて、当該作動軸１０４が対応する作動孔１２８の後方から挿入されるよう構成されている。ここで、前記装置本体８０の左右の支軸９０に支持される左右の揺動板１０１は、左右対称な形状に形成されると共に、駆動モータ１５０の駆動に伴い逆回転方向へ回転するよう構成されており、当該左右の揺動板１０１に伴って第１および第２支持アーム１２１,１２２の夫々を逆回転方向へ同期的に揺動させるようになっている。すなわち、待機位置から可動位置へ向けて移動する際に、第１支持アーム１２１は揺動軸８８を中心として右回転方向へ揺動する一方、第２支持アーム１２２は揺動軸８８を中心として左回転方向へ揺動し、可動位置から待機位置へ向けて移動する際に、第１支持アーム１２１は揺動軸８８を中心として左回転方向へ揺動する一方、第２支持アーム１２２は揺動軸８８を中心として右回転方向へ揺動するよう構成されている。
【００５２】
(作動板１１０)
また、前記作動板１１０は、図４、図８に示すように、横長の平板状に形成されて、前記左右の揺動板１０１の前側に重なるように配置されている。そして、前記作動板１１０の左右の側端部に、前記揺動軸８８を中心とする円弧状に延在する作動ギア部１１０ｂが設けられており、当該左右の作動ギア部１１０ｂに支持アーム１２１,１２２に設けられた前記連繋ギア１１１が噛合するよう構成されている。具体的には、前記作動板１１０の右側端部の作動ギア部１１０ｂに第１支持アーム１２１の連繋ギア１１１が噛合すると共に、当該作動板１１０の左側端部の作動ギア部１１０ｂに第２支持アーム１２２の連繋ギア１１１が噛合するようになっている。すなわち、前記支持アーム１２１,１２２の揺動に伴って作動ギア部１１０ｂに噛合した連繋ギア１１１が回転され、当該連繋ギア１１１に回転ギア６８が噛合する前記可動体６１,６２の夫々が回転軸６９を中心として回転されるようになっている。すなわち、待機位置から可動位置への第１支持アーム１２１の揺動に伴って第１可動体６１が回転軸６９を中心として右回転方向に回転する一方、待機位置から可動位置への第２支持アーム１２２の揺動に伴って第２可動体６２が回転軸６９を中心として左回転方向に回転し、可動位置から待機位置への第１支持アーム１２１の揺動に伴って第１可動体６１が回転軸６９を中心として左回転方向に回転する一方、可動位置から待機位置への第２支持アーム１２２の揺動に伴って第２可動体６２が回転軸６９を中心として右回転方向に回転するよう構成されている。
【００５３】
(第１および第２支持アーム１２１,１２２について)
次に、前記第１および第２支持アーム１２１,１２２について説明する。ここで、前記第１支持アーム１２１および第２支持アーム１２２は、左右対称となる形状および構成で形成されていることから、以下の説明では、右側に位置する第１支持アーム１２１について説明し、第２支持アーム１２２については、同一の構成について同一の符号を付して詳細な説明は省略する。なお、前記第１支持アーム１２１は、図３に示すように、前記右側の揺動軸８８から径方向へ延在するよう設けられると共に、前記第２支持アーム１２２は、前記左側の揺動軸８８から径方向へ延在するよう設けられている。そして、前記揺動軸８８の枢支側端部と反対側に位置する端部に、各対応の第１可動体６１および第２可動体６２の夫々が回転可能に支持されている。
【００５４】
前記第１支持アーム１２１は、図９に示すように、前記装置本体８０に設けた揺動軸８８に枢支される第１のアーム体１２３と、該第１のアーム体１２３の後方に配設される第２のアーム体１２５とを備え、当該第１のアーム体１２３および第２のアーム体１２５の間に、前記作動手段を構成する連繋ギア１１１を収容する収容部(以下、ギア収容部１３０という)を画成されるよう構成されている。前記第１のアーム体１２３および第２のアーム体１２５は、前後方向に部分的に重なるよう構成されており、当該第２のアーム体１２５の外方へ突出する第１のアーム体１２３の端部側(前後に重なり合わない端部側)に、前後に貫通する第１軸孔１２３ａが形成されて、当該第１軸孔１２３ａに前記揺動軸８８が後方から挿通されることで、第１支持アーム１２１が装置本体８０に対して揺動可能に支持されるようになっている。また、前記第１のアーム体１２３の側方へ突出する第２のアーム体１２５の端部側(前後に重なり合わない端部側)に、当該第２のアーム体１２５から後方へ突出する軸受け筒部１２７が形成されており、当該軸受け筒部１２７に前後に貫通する第２軸孔１２７ａが形成されて、当該第２軸孔１２７ａに対して前記第１可動体６１の回転軸６９が前方から挿通されることで、第１支持アーム１２１に対して第１可動体６１が回転可能に支持されるようになっている。
【００５５】
また、図９、図１１に示すように、前記第２のアーム体１２５には、前記第２軸孔１２７ａの形成側端部から外方へ延出するよう平板状の位置検出片１４６が形成されており、前記第１支持アーム１２１が待機位置にある状態で前記装置本体８０に設けられた位置検出センサ９８に検出されるようになっている。すなわち、左右対称に一体的に第１および第２支持アーム１２１,１２２が動作する際に、第１支持アーム１２１に設けた位置検出片１４６を位置検出センサ９８が検出することで、両支持アーム１２１,１２２(第１および第２可動体６１,６２)の待機位置が検出されるようになっている。また、前記位置検出片１４６の突出端部には、当該位置検出片１４６の端部に沿って前後方向に延在するガイド突片１４５が形成されており、可動位置から待機位置へ移動する際に当該ガイド突片１４５が装置本体８０のガイド部９７に案内されるようになっている。
【００５６】
また、図１０に示すように、前記ギア収容部１３０は、前記第１軸孔１２３ａ側および第２軸孔１２７ａ側の夫々で開口するよう第１および第２のアーム体１２３,１２５の間に画成されている。すなわち、前記ギア収容部１３０に収容された連繋ギア１１１は、前記第１軸孔１２３ａ側および第２軸孔１２７ａ側の開口を介して当該ギア収容部１３０の外方へ露出するよう構成され、当該ギア収容部１３０の開口から露出する連繋ギア１１１に前記作動板１１０のギア部および前記第１可動体６１の回転ギア６８が噛合するよう構成されている。すなわち、前記第１支持アーム１２１が揺動軸８８を中心として回転(揺動)することで、前記作動板１１０の作動ギア部１１０ｂに噛合する連繋ギア１１１が回転され、当該連繋ギア１１１が回転することで、連繋ギア１１１に噛合する回転ギア６８が回転されて、前記第１可動体６１が回転軸６９を中心等して回転するようになっている。なお、前記ギア収容部１３０には、前後方向に延在する支軸１１１ａを中心として回転可能な状態で収容された２つの連繋ギア１１１が相互に噛合するよう構成されて、一方の連繋ギア１１１に作動板１１０の作動ギア部１１０ｂに噛合し、他方の連繋ギア１１１に第１可動体６１の回転ギア６８に噛合するようになっている。
【００５７】
前記第２のアーム体１２５には、図９、図１１に示すように、前記第１軸孔１２３ａ側の上端部に、前後に関数する作動孔１２８が開設されている。この作動孔１２８は、前記揺動軸８８の径方向へ所定長さ延在する長孔状に形成されており、前記揺動板１０１の作動軸１０４が当該作動孔１２８に対して後方から挿入されるようになっている。これにより、前記揺動板１０１の回転に伴って前記第１支持アーム１２１が揺動軸８８を中心として揺動するようになっている。そして、前記第１支持アーム１２１(第２のアーム体１２５)の後面には、前記装置本体８０の円弧状ガイド孔９１と前後方向に整列する位置に、後方へ向けて突出するガイド軸１２９が形成されて、当該円弧状ガイド孔９１の前方からガイド軸１２９が摺動可能に挿入されている。すなわち、前記円弧状ガイド孔９１に沿ってガイド軸１２９が移動することで、前記揺動軸８８を中心として前記第１支持アーム１２１を安定して揺動させ得ると共に、当該円弧状ガイド孔９１の延在方向の両端部にガイド軸１２９が当接する範囲で第１支持アーム１２１が揺動することで、待機位置および可動位置の間を移動可能に構成されている。
【００５８】
(第２の板金部材１３３について)
また、前記第１支持アーム１２１のギア収容部１３０には、図９、図１０に示すように、前記待機位置における第１支持アーム１２１の下壁部に、磁石７５が磁着可能な第２の板金部材(第２の磁着部材)１３３が配設されている。前記第２の板金部材１３３は、前記第１支持アーム１２１に対して回転変位する前記第１可動体６１の磁石ホルダ７６(磁石７５)が対向する位置に配設されて、第１可動体６１が可動位置に移動した際に、第１可動体６１の磁石７５が当該第２の板金部材１３３に磁着するようになっている。従って、待機位置から可動位置への右回転方向への回転(上方から下方への移動)に伴い、第１支持アーム１２１の下壁部に対して、第１可動体６１の磁石７５が下方から第２の板金部材１３３に近接移動して磁着するようになっている。すなわち、第２の板金部材１３３は、前記可動体６１,６２の往復移動に伴い当該可動体６１,６２に対して相対的に変位する支持アーム１２１,１２２に設けられている。なお、前記第２の板金部材１３３は、磁石が磁着可能な金属板から形成されて、前方へ開口するよう前記第２のアーム体１２５に形成された形成されたスリット溝１２５ａに前側から差し込むことで取り付けられている。
【００５９】
(フィルムハーネスＦの収容構造について)
また、前記第１支持アーム１２１(第２のアーム体１２５)の後面には、図９、図１１〜図１３に示すように、後方へ開口する円筒状の配線収容部１３５が形成されており、当該配線収容部１３５の内側中心位置に前記軸受け筒部１２７が後方へ突出するよう設けられている。そして、前記配線収容部１３５の底面に、前記軸受け筒部１２７を中心とした円弧状に延在する円弧状孔部１３１が前後に貫通するよう形成されており、軸受け筒部１２７の第２軸孔１２７ａに第１可動体６１の回転軸６９を挿通した際に、当該第１可動体６１に設けられた前記配線保持部７０,７１が円弧状孔部１３１を介して配線収容部１３５の内側まで挿通されるようになっている。すなわち、前記第１支持アーム１２１は、前記配線収容部１３５の内周面１３５ａと軸受け筒部１２７の外周面１２７ｂとの間に、前記第１可動体６１の回転軸６９線(回転軸６９)を囲う環状に延在する配線挿通部が画成されると共に、当該環状挿通部１３６の内側に前記第１可動体６１の配線保持部７０,７１が臨む(位置する)よう構成されており、環状挿通部１３６内において軸受け筒部１２７の周りを環状に延在させたフィルムハーネスＦが配線保持部７０,７１に挟持保持されるようになっている。
【００６０】
前記第１支持アーム１２１には、図１１、図１３に示すように、前記配線収容部１３５(環状挿通部１３６)に連通する配線導入部１４０が形成されており、前記接続基板９５に接続したフィルムハーネスＦを、当該配線導入部１４０を介して配線収容部１３５まで案内するようになっている。ここで、前記配線導入部１４０は、前記待機位置にある状態で前記第１のアーム体１２３の上端部から後方へ延出する外壁部１２４と、当該第１のアーム体１２３の外壁部１２４に対向する前記第２のアーム体１２５の外壁部１２６との間にスリット状に画成され、前記ギア収容部１３０の外縁部(上縁部)に沿って延在するよう形成されている。そして、前記第１軸孔１２３ａの形成側端部で開口する配線導入部１４０の開口を介して、前記接続基板９５から導出したフィルムハーネスＦを配線導入部１４０に導入し得るようになっている。また、前記配線導入部１４０は、前記配線収容部１３５の内周面１３５ａに形成されたスリット状の導入口１４０ａを介して当該配線収容部１３５(環状挿通部１３６)に連通するよう構成されており、当該導入口１４０ａを介して配線導入部１４０から環状挿通部１３６にフィルムハーネスＦを導入し得るようになっている。すなわち、前記配線導入部１４０は、前記環状挿通部１３６の接線方向へ連続するよう設けられて、当該配線導入部１４０に、前記第１可動体６１の回転軸線方向と幅方向とが平行になる姿勢で前記フィルムハーネスＦが挿通されている。従って、配線導入部１４０の導入口１４０ａを介して環状挿通部１３６に導入されたフィルムハーネスＦを、厚み方向に撓ませて前記回転軸６９を中心とした環状に前記軸受け筒部１２７の外周周りに巻き付けるよう無理なく環状に延在させ得るようになっている。
【００６１】
ここで、図１１、図１３に示すように、前記配線導入部１４０の導入口１４０ａを介して環状挿通部１３６に導入されたフィルムハーネスＦは、当該環状挿通部１３６において前記待機位置から可動位置への第１可動体６１の回転方向(すなわち第１可動体６１では右回転方向であり)へ軸受け筒部１２７の外周に環状に巻き付けるよう延在させたもとで、環状挿通部１３６(配線収容部１３５)内で前記配線保持部７０,７１に保持されてている。ここで、前記フィルムハーネスＦは、前記待機位置から可動位置への第１可動体６１の回転を許容し得るよう弛ませた状態で軸受け筒部１２７の外周側に環状に延在するよう構成されており、第１可動体６１の回転に伴い軸受け筒部１２７に巻き付けたフィルムハーネスＦの巻き付けが弛んだり(弛緩)、巻き取られる(収縮)ことで、当該第１可動体６１の往復回転運動を許容している。すなわち、待機位置から可動位置へ第１可動体６１を回転させるのに伴って環状挿通部１３６で環状に延在するフィルムハーネスＦが巻き取られて径が縮小すると共に、可動位置から待機位置へ第１可動体６１を回転させるのに伴って当該フィルムハーネスＦの巻き付けが弛んで径が拡大するよう構成されている。このように、前記フィルムハーネスＦを配線収容部１３５内で軸受け筒部１２７に環状に巻き付けることで、前記第１可動体６１の回転動作に伴ってケーブルに作用する負荷を軽減し、断線等の発生を防止している。
【００６２】
また、図１３に示すように、前記配線保持部７０,７１は、前記第１可動体６１が可動位置にある状態よりも待機位置にある状態で前記配線導入部１４０の導入口１４０ａに近接して位置するよう構成されている。すなわち、前記第１可動体６１が待機位置にある状態では、前記軸受け筒部１２７(回転軸６９)よりも配線導入部１４０の導入口１４０ａ側に前記配線保持部７０,７１が位置し、第１可動体６１が可動位置にある状態では、当該軸受け筒部１２７(回転軸６９)を挟んで配線導入部１４０の導入口１４０ａと反対側に配線保持部７０,７１が位置するようになっている。従って、第１可動体６１が待機位置から可動位置に移動する際に、前記配線保持部７０,７１が配線導入部１４０の導入口１４０ａから離間するよう移動するのに伴ってフィルムハーネスＦが巻き取られ(環状に巻いた径が縮小し)、第１可動体６１が可動位置から待機位置に移動する際に、配線保持部７０,７１が配線導入部１４０の導入口１４０ａに近接するよう移動するのに伴ってフィルムハーネスＦが弛む(環状に巻いた径が拡大する)ようになっている。すなわち、第１可動体６１が待機位置にある状態でフィルムハーネスＦが最も弛んだ状態となるよう構成されている。
【００６３】
ここで、前記配線導入部１４０の導入口１４０ａから配線収容部１３５内に導入されたフィルムハーネスＦは、前記第１可動体６１が待機位置にある状態で、前記環状挿通部１３６内において前記軸受け筒部１２７(回転軸６９)を中心として環状に１周回させた状態で前記第１可動体６１の前記配線保持部７０,７１に挟持保持されるよう構成されている。なお、フィルムハーネスＦを環状に１周回させた状態としては、当該フィルムハーネスＦが完全に１周回する状態であるだけでなく、前記第１可動体６１が待機位置にある状態で前記回転軸６９および配線導入部１４０の導入口１４０ａを結ぶ線分Ｌ(図１３参照)を超えるように環状に巻かれた状態にあればよい。
【００６４】
図７、図１３に示すように、前記配線保持部７０,７１における前記軸受け筒部１２７から離間する外側面(配線収容部１３５の内周面１３５ａに対向する配線挟持片７１)には、前記第１可動体６１の回転方向の両端部を曲面状に湾曲させて曲面部７２が形成されている。すなわち、前記配線保持部７０,７１は、前記環状挿通部１３６において前記フィルムハーネスＦと対向する側面側における回転方向の両端縁部が曲面状に形成されており、待機位置および可動位置の間で第１可動体６１を回転させた際に配線保持部７０,７１の曲面部７２がフィルムハーネスＦを滑らかに誘導することで、当該フィルムハーネスＦの傷つきや摩耗を防ぐようになっている。このように、配線保持部７０,７１におけるフィルムハーネスＦと対向する端縁部に曲面部７２を形成することで、待機位置におけるフィルムハーネスＦの余剰長さを最小限にしている。
【００６５】
また、図９、図１２に示すように、前記第１支持アーム１２１の後面には、前記配線収容部１３５(環状挿通部１３６)の後方開口および配線導入部１４０の後方開口を塞ぐ裏カバー部材１４３が配設されており、当該配線収容部１３５や配線導入部１４０からのフィルムハーネスＦの脱落を防止している。この裏カバー部材１４３における前記配線収容部１３５(環状挿通部１３６)の被覆部分には、前記第１可動体６１の回転軸６９を中心とする周方向に離間する位置に、前後に貫通する複数(実施例では４つ)の窓口１４３ａが形成されている。前記窓口１４３ａは、前記配線収容部１３５(環状挿通部１３６)の内側で開口するよう形成されており、当該窓口１４３ａを介して第１支持アーム１２１の外側から環状挿通部１３６内のフィルムハーネスＦを目視により確認し得るようになっている。
【００６６】
(実施例の作用について)
次に、前述した実施例に係るパチンコ機１０の作用に関して説明する。
【００６７】
前記パチンコ機１０の前面に設けられた前記操作ハンドル１６を遊技者が回転操作すると、打球発射装置から発射されたパチンコ球が前記遊技盤２０に設けた案内レール２３により画成された遊技領域２２内に打ち出されて、遊技領域２２に打ち出されたパチンコ球が遊技盤２０上に設けた遊技釘３２等に接触して流下方向を変更しながら流下する。そして、前記遊技領域２２を流下する過程で、パチンコ球が第１または第２の始動入賞部３５,４１の始動入賞口に入賞することを契機として大当り抽選が行われると共に、制御装置の制御に基づいて前記図柄表示装置での図柄変動演出が開始され、大当りに当選した場合には、図柄変動演出の結果として図柄表示装置１７に所定の当り表示(例えば同一図柄の３つ揃い等)が表示されて大当りが発生する。大当りが発生すると、図柄表示装置１７に表示された図柄組み合わせに応じて、前記遊技盤２０の下方に設けられた特別入賞部４２が開放されると共に、制御装置の制御に基づいて図柄表示装置１７において大当り遊技演出が行なわれる。
【００６８】
そして、前記図柄表示装置１７で展開される図柄変動演出や大当り遊技演出等に合わせて、制御装置からの制御信号に基づいて前記上下の可動演出装置６０Ａ,６０Ｂを作動させて、当該上部可動演出装置６０Ａが備える第１および第２可動体６１,６２や、下部可動演出装置６０Ｂが備える第１および第２可動体６１,６２の夫々を待機位置および可動位置の間で動作演出が行なわれる。また、前記上下の可動演出装置６０Ａ,６０Ｂでは、前記図柄表示装置１７で展開される図柄変動演出や大当り遊技演出等に合わせて、前記各可動体６１,６２が備える発光体基板６６の発光体が制御装置からの制御信号に基づいて発光されて、発光演出が行なわれるようになっている。
【００６９】
ここで、前記上下の可動演出装置６０Ａ,６０Ｂの第１および第２可動体６１,６２は、磁石ホルダ７６に１つの磁石７５が配設されており、当該各第１および第２可動体６１,６２が待機位置にある状態では装置本体８０に配設された第１の板金部材９３の磁着板部９３ｂに当該磁石７５が磁着し、各第１および第２可動体６１,６２が可動位置にある状態では各対応の第１および第２支持アーム１２１,１２２に配設された第２の板金部材１３３に同じ磁石７５が磁着して、往復移動に伴って各可動体６１,６２が待機位置および可動位置の両方の位置で磁力により保持されるよう構成してある。このように各可動体６１,６２に設けた磁石７５が第１の板金部材９３および第２の板金部材１３３に磁着することで、当該磁石７５の磁力により待機位置および可動位置の何れの位置にあっても可動体６１,６２の姿勢安定性を高めることができる。従って、上下の可動演出装置６０Ａ,６０Ｂの各第１および第２可動体６１,６２が待機位置にある状態で、当該上下の可動演出装置６０Ａ,６０Ｂに振動が伝わったとしても、各可動体６１,６２が待機位置から移動することを防止できる。
【００７０】
また、上部可動演出装置６０Ａおよび下部可動演出装置６０Ｂを単独で動作させて待機位置から可動位置に移動させた際には、左右対称に動作する第１および第２可動体６１,６２を、磁石７５の磁力により可動位置において左右対称に揃った姿勢に安定して保持することができ、見栄えのよい可動演出を行うことができる。そして、上部可動演出装置６０Ａおよび下部可動演出装置６０Ｂを同時に動作させて待機位置から可動位置に移動させた際には、各可動演出装置６０Ａ,６０Ｂにおいて上下および左右対称に動作する第１および第２可動体６１,６２を、磁石７５の磁力により上下および左右対称に揃った姿勢に安定して保持することができ、より一層見栄えのよい可動演出を行うことができ、遊技の興趣を高め得る。
【００７１】
前記上下の可動演出装置６０Ａ,６０Ｂにおける各可動体６１,６２は、各可動体６１,６２が備える１つの磁石７５で待機位置および可動位置の夫々に保持させることができるから、可動演出装置６０Ａ,６０Ｂのコストを押し上げることはない。また、１つの可動体６１,６２が動作する際に１つの磁石７５が移動するだけであるから、パチンコ機１０に備えられる磁気センサの設置位置を過剰に制約することはなく、可動演出装置６０Ａ,６０Ｂの設計自由度を向上することができる。
【００７２】
前記上下の可動演出装置６０Ａ,６０Ｂは、駆動モータ１５０の駆動に伴って往復揺動する第１および第２支持アーム１２１,１２２の夫々に前記第１および第２可動体６１,６２が配設されて、当該第１および第２支持アーム１２１,１２２の往復揺動に伴い対応する第１および第２可動体６１,６２が回転(姿勢変位)するよう構成されている。このように、駆動モータ１５０の駆動に伴って往復揺動する各支持アーム１２１,１２２に対して対応の可動体６１,６２が回転(姿勢変位)するよう構成することで、可動体６１,６２を定位置で動作させる構成よりも動作範囲を拡大することができると共に、可動体６１,６２の動作を複雑にすることができるから、可動演出による演出効果の向上を図り得る。そして、可動体６１,６２の動作範囲を拡大しても、１つの磁石７５により各可動体６１,６２を待機位置および可動位置の夫々で安定して磁着保持することができるから、見栄えのよい可動演出を行うことができ、遊技の興趣を高め得る。
【００７３】
また、第１および第２支持アーム１２１,１２２が揺動可能に支持される装置本体８０に前記第１の板金部材９３を配設し、各支持アーム１２１,１２２に第２の板金部材１３３を配線したことで、待機位置では装置本体８０に対して各可動体６１,６２を安定した姿勢で保持し得ると共に、可動位置では支持アーム１２１,１２２に対して可動体６１,６２を安定した姿勢で保持することができる。このため、待機位置では装置本体８０と可動体６１,６２の一体感を高め得ると共に、可動位置では支持アーム１２１,１２２と可動体６１,６２の一体感を高め得る。また、待機位置において第１の板金部材９３に磁石７５を磁着させて装置本体８０に対して各可動体６１,６２を安定して保持することで、当該各可動体６１,６２が配設された支持アーム１２１,１２２の装置本体８０に対する安定性を高めることができる。すなわち、各可動体６１,６２に磁石７５を設けることで支持アーム１２１,１２２を安定した姿勢で保持することができるから、当該支持アーム１２１,１２２を待機位置で保持する磁石７５を別途設ける必要はなく、コスト削減や磁石７５の配設設数の抑制を図ることができる。
【００７４】
更に、前記支持アーム１２１,１２２の一方端部側を前記装置本体８０に対して揺動可能に支持すると共に、当該支持アーム１２１,１２２の他方端部側に、支持アーム１２１,１２２の揺動軸８８線と平行な軸線を中心として回転可能に対応の可動体６１,６２の長手方向の中間位置を支持することで、支持アーム１２１,１２２の揺動に伴って上下方向に変位する端部において可動体６１,６２を回転させることができる。このとき、支持アーム１２１,１２２のギア収容部１３０に配設した連繋ギア１１１が、装置本体８０に設けた作動ギアに沿って移動することで、各支持アーム１２１,１２２に対応する可動体６１,６２を回転させることができ、各可動体６１,６２を動作させるための駆動手段を別に備える必要がないから、支持アーム１２１,１２２や可動体６１,６２の小型化・軽量化を図ることができる。
【００７５】
そして、待機位置では前記支持アーム１２１,１２２の揺動軸８８から離間する外方に位置するよう対応する可動体６１,６２の端部に磁石７５が配設されており、当該磁石７５が前記装置本体８０の第１の板金部材９３に磁着する。このため、待機位置において支持アーム１２１,１２２の揺動軸８８から最も離間する端部位置(外方位置)において磁石７５を第１の板金部材９３に磁着させることで、各支持アーム１２１,１２２および可動体６１,６２を保持するのに必要とされる磁石７５の磁力を極力小さくできる。すなわち、小さな磁力で各支持アーム１２１,１２２および可動体６１,６２を待機位置に安定的に保持することができる。そして、可動体６１,６２に設けられる磁石７５の磁力を小さくすることで、支持アーム１２１,１２２や可動体６１,６２の動作に伴って移動する磁石７５が影響を及ぼす範囲を極力抑えることができるから、当該磁石７５がパチンコ球の挙動に影響を与えるのを防止することができると共に、磁気センサの設置位置を過剰に制約することはなく、可動演出装置６０Ａ,６０Ｂの設計自由度を高めることが可能となる。
【００７６】
また、実施例に係る上部可動演出装置６０Ａでは、可動位置から待機位置に変位させた際には前記各支持アーム１２１,１２２の夫々が下方から上方へ向けて移動すると共に、回転動作する各可動体６１,６２における磁石７５の配設端部(磁石ホルダ７６)が下方から上方へ向けて移動しつつ第１の板金部材９３(磁着板部９３ｂ)に対して近接して磁石７５が磁着するよう構成されている。すなわち、可動位置から待機位置に変位させる際に支持アーム１２１,１２２における可動体６１,６２の配設端部が移動する方向と、第１の板金部材９３に対して磁石７５が近接移動する方向とを一致させることで、駆動モータ１５０の駆動を停止した際に支持アーム１２１,１２２が慣性力で上方へ揺動する勢いを利用して磁石７５を第１の板金部材９３に対して相対的に近づけることができ、第１の板金部材９３に対して磁石７５を確実に磁着させるこことができる。反対に、実施例に係る上部可動演出装置６０Ａでは、待機位置から可動位置に変位させる際には前記各支持アーム１２１,１２２の夫々が上方から下方へ向けて移動すると共に、回転動作する各可動体６１,６２における磁石７５の配設端部(磁石ホルダ７６)が下方から上方へ向けて移動しつつ第２の板金部材１３３(磁着板部９３ｂ)に対して近接して磁石７５が磁着するよう構成されている。すなわち、待機位置から可動位置に変位させる際に支持アーム１２１,１２２における可動体６１,６２の配設端部が移動する方向と、第２の板金部材１３３に対して磁石７５が近接移動する方向とを逆向きにすることで、駆動モータ１５０の駆動を停止した際に支持アーム１２１,１２２が慣性力で下方へ揺動する勢いを利用して磁石７５を第２の板金部材１３３に対して相対的に近づけることができ、第２の板金部材１３３に対して磁石７５を確実に磁着させるこことができる。なお、下部可動演出装置６０Ｂについても、待機位置から可動位置への移動および可動位置から待機位置への移動に伴って磁石７５を対応する板金部材９３,１３３に対して相対的に近接移動させることができ、上部可動演出装置６０Ａと同じことがいえる。
【００７７】
ここで、前記各可動体６１,６２に配設された発光体基板６６を装置本体８０((前側基体部８２)に配設した接続基板９５に接続するフィルムハーネスＦは、可動体６１,６２の回転軸６９を囲繞するよう対応の支持アーム１２１,１２２に設けられた前記配線収容部１３５の環状挿通部１３６に一定方向に延在するよう軸受け筒部１２７に巻き付けられている。このため、前記可動体６１,６２が待機位置および可動位置に回転移動するのに伴って、軸受け筒部１２７に対するフィルムハーネスＦの巻き付け部分が収縮・弛緩するよう撓む。従って、前記可動体６１,６２の回転に伴いフィルムハーネスＦに対して屈曲動作する負荷が掛からないから、ケーブル内部の導線の断線を防止でき、当該可動体６１,６２を繰り返し往復回転運動させ得る。このように、厚み方向に可撓変形可能なフィルムハーネスＦを用いることで、環状挿通部１３６内で環状に巻いたフィルムハーネスＦに掛かる負荷を軽減し得ると共に、可動体６１,６２の回転に合わせて速やかに環状に巻いたケーブルの径を縮小・拡大(収縮・弛緩)させることができる。
【００７８】
しかも、前記フィルムハーネスＦは、配線収容部１３５の外周面１２７ｂに開口する配線導入部１４０の導入口１４０ａを介して環状挿通部１３６に導入されて、当該環状挿通部１３６の内側に突出する各可動体６１,６２の配線保持部７０,７１に保持されているから、可動体６１,６２の回転に伴うケーブルの変形が環状挿通部１３６の内部(すなわち軸受け筒部１２７に対する巻き付け部分)に限定されるから、フィルムハーネスＦの屈曲部や予期しない部位に負荷が掛かるのを防止でき、当該フィルムハーネスＦの断線を効果的に防止し得る。すなわち、可動体６１,６２に設けた配線保持部７０,７１を環状挿通部１３６の内側に臨ませて、当該環状挿通部１３６で環状に延在させたフィルムハーネスＦを当該配線保持部７０,７１に保持することで、環状挿通部１３６から外部に引き出すためにケーブルを屈曲させる必要がない。従って、可動体６１,６２を回転させた際に、配線の屈曲部分に応力が集中して断線等が生ずるのを効果的に防止し得る。そして、配線導入部１４０の導入口１４０ａを配線収容部１３５の外周面１２７ｂに開口させることで、フィルムハーネスＦを屈曲させることなく配線導入部１４０から配線収容部１３５(環状挿通部１３６)に導入することができ、可動体６１,６２の回転に伴ってフィルムハーネスＦの径が縮小・拡大(収縮・弛緩)する際に、当該ケーブルにおける配線導入部１４０から配線収容部１３５(環状挿通部１３６)への導入部分に過剰な負荷が掛かるのを防ぐことができる。
【００７９】
また。前記配線保持部７０,７１は、前記環状挿通部１３６において前記可動体６１,６２の回転軸６９線を中心に巻かれるケーブル部分と対向する端縁部に曲面状に湾曲した曲面部７２が設けられている。このように、環状挿通部１３６内で環状に巻かれたフィルムハーネスＦと対向する配線保持部７０,７１の端縁部を曲面状に形成したことで、環状挿通部１３６の内側で移動する配線保持部７０,７１と接触に伴って配線が摩耗したり、傷つけられるのを効果的に防止することができ、ケーブルの断線をより効果的に防止することができる。そして、前記フィルムハーネスＦは、前記軸受け筒部１２７の外側に環状に延在する環状挿通部１３６内で巻き付けられているから、可動体６１,６２の回転動作時に弛緩したフィルムハーネスＦの巻き付け部分を常に配線収容部１３５(環状挿通部１３６)内に収容でき、ケーブルの噛み込みによる断線等の不具合を防ぐことができる。
【００８０】
また、前記配線収容部１３５(環状挿通部１３６)の後方開口を、前記各支持アーム１２１,１２２の後面に配設した裏カバー部材１４３で塞ぐよう構成したことで、軸受け筒部１２７に巻き付けたフィルムハーネスＦの巻き付け部分が収縮・弛緩するよう撓んだ際に配線収容部１３５(環状挿通部１３６)から脱落するのを防止できる。同様に、前記裏カバー部材１４３により配線導入部１４０の後方開口を塞いでいるから、支持アーム１２１,１２２が揺動した際に配線導入部１４０からフィルムハーネスＦが脱落するのを確実に防止することができる。更に、前記配線収容部１３５(環状挿通部１３６)の開口部を塞ぐ裏カバー部材１４３には、可動体６１,６２の回転方向にに離間する複数位置に、当該環状挿通部１３６に開口する窓口１４３ａを形成して、当該環状挿通部１３６内を外部から目視し得るよう構成したことで、可動体６１,６２の回転動作に伴う配線の断線や摩耗等の発生を外部から容易に確認でき、可動体６１,６２の回転動作の確認やメンテナンス作業等を効率的に行い得る。
【００８１】
また、実施例に係る上下の可動演出装置６０Ａ,６０Ｂでは、前記各可動体６１,６２が待機位置にある状態では、前記軸受け筒部１２７(回転軸６９)よりも配線導入部１４０の導入口１４０ａ側に配線保持部７０,７１が位置し、各可動体６１,６２が可動位置にある状態では、当該軸受け筒部１２７(回転軸６９)を挟んで配線導入部１４０の導入口１４０ａと反対側に配線保持部７０,７１が位置している。すなわち、待機位置から可動位置への可動体６１,６２の回転に伴い環状挿通部１３６におけるフィルムハーネスＦの径が縮小し、可動位置から待機位置への可動体６１,６２の回転に伴い環状挿通部１３６におけるフィルムハーネスＦの径が拡大するようになっているおり、待機位置においてフィルムハーネスＦが最も弛んだ状態とされている。従って、遊技が行われる過程において可動体６１,６２が保持される時間が長くなる待機位置にある状態においてフィルムハーネスＦに掛かる負荷を軽減することができ、当該ケーブルの断線を効果的に防止し得る。更に、可動位置における配線保持部７０,７１よりも待機位置における配線保持部７０,７１の方が配線導入部１４０の導入口１４０ａに近接して位置させることで、環状挿通部１３６内においてフィルムハーネスＦを１周回させるだけでケーブルに掛かる負荷の軽減を図り断線を防止しつつ当該ケーブルの配線長を最小限まで短くできる。このように、可動体６１,６２に配設される発光体基板６６に接続するフィルムハーネスＦの配線長を、当該可動体６１,６２の回動作を許容する範囲で短くしつつ、可動体６１,６２の動作に伴う当該ケーブルの損傷を効果的に防止することができる。
【００８２】
(変更例)
なお、遊技機としては、実施例に示したものに限らず、種々の構成を採用可能である。
【００８３】
(１)  実施例では、可動体を待機位置および可動位置の間で往復回転するよう構成したが、当該可動体を直線的に移動するよう構成してもよく、待機位置および可動位置の間で可動体が往復移動する構成であればよい。
(２)  実施例では、可動体が配設される支持部(支持アーム)を揺動軸を中心として揺動するよう構成したが、当該支持部を直線的に移動するよう構成してもよく、待機位置および可動位置の間で支持部が往復移動する構成であればよい。
(３)  実施例では、可動体を支持部(支持アーム)に配設して、当該可動体の往復移動に伴い可動体に対して相対的に変位する位置(装置本体および支持部)に第１の磁着部材および第２の磁着部材を配設するよう構成したが、可動体を装置本体に配設して可動体の往復移動に伴い可動体に対して相対的に変位する装置本体に第１および第２の磁着部材を配設するようにしてもよい。
(４)  実施例では、第１および第２の磁着部材として可動体の磁石が磁着可能な金属板を採用したが、当該第１および第２の磁着部材に磁石を採用して可動体の磁石と磁着するよう構成することもできる。この場合には、磁石の配設数が増加するものの、１つの可動体の動作に伴って１つの磁石が移動するだけであるから、実施例と同様に遊技機に備えられる磁気センサの設置位置を過剰に制約することはなく、可動演出装置の設計自由度の向上を図り得る。
(５)  実施例では、可動演出装置を設置部材に配設するよう構成したが、当該可動演出装置を板状部材に配設してもよく、また、中枠(本体枠)や前枠(装飾枠)等の遊技機の枠体に対して配設するようにしてもよい。また、可動演出装置をスロットマシン機(回胴式遊技機)に採用する場合には、当該スロットマシン機の本体をなす筐体や筐体の開口を塞ぐ扉体に対して可動演出装置を配設する構成も採用可能である。
(６)  実施例では、可動位置から待機位置に変位させた際に支持部における可動体の配設端部が移動する方向に前記磁石が前記第１の磁着部材に対して近接移動して磁着するよう構成したがが、支持部における可動体の配設端部が移動する方向と反対方向に磁石が第１の磁着部材に対して近接移動するようにしてもよい。
(７)  実施例では、可動体の回転軸が挿通される軸受け筒部の周りに環状挿通部を形成して配線(フィルムハーネス)を巻き付けるようにしたが、当該軸受け筒部とは別に配線の巻き付け部を形成してもよい。
(８)  実施例では、可動体を支持部(支持アーム)に配設して、当該可動体の往復移動に伴い可動体に対して相対的に変位する位置(装置本体および支持部)に第１の磁着部材および第２の磁着部材を配設するよう構成したが、可動体を装置本体に配設して、当該装置本体に環状挿通部を形成するようにしてもよい。また、環状挿通部を可動体に設けるようにしてもよい。
(９)  前記可動体に配設される電気部品としては、実施例に示した発光体基板に限られるものではなく、電気的に作動する部品であればよく、また可動体に配設される電気部品の設置数も適宜に決定される。
(１０)  実施例では、遊技盤を透明板から構成したが、これに限られるものではなく、遊技盤を合板や合成樹脂材等により不透明に形成するようにしてもよい。
(１１)  実施例では、遊技機としてパチンコ機を例示して説明したが、これに限られるものではなく、アレンジボール機やピンボール機、スロットマシン機等の各種遊技機を採用し得る。
【００８４】
また本願には、例えば次のような技術的思想が含まれている。
請求項８記載の構成を含む遊技機に関し、
前記可動体(61,62)には、可動位置から待機位置に変位させた際に前記支持部(121,122)における可動体(61,62)の配設端部が移動する方向に前記磁石(75)が前記第１の磁着部材(93)に対して近接移動して磁着するよう構成されたことを要旨とする。
このように、可動位置から待機位置に変位させる際に支持部における可動体の配設端部が移動する方向と、第１の磁着部材に対して磁石が近接移動する方向とを一致させることで、支持部が揺動に伴って磁石を第１の磁着部材に向けて付勢することができ、第１の磁着部材に対して磁石を確実に磁着させるこことができる。
【符号の説明】
【００８５】
６０Ａ  上部可動演出装置(可動演出手段)
６０Ｂ  下部可動演出装置(可動演出手段)
６１  第１可動体(可動体)
６２  第２可動体(可動体)
６６  発光体基板(電気部品)
７５  磁石
８０  装置本体(ベース部)
９３  第１の板金部材(第１の磁着部材)
１２１  第１支持アーム(支持部)
１２２  第２支持アーム(支持部)
１３３  第２の板金部材(第２の磁着部材)
１３６  環状挿通部
１４０  配線導入部
１４０ａ  導入口
１４３  裏カバー部材(カバー部材)
１４３ａ  窓口
１５０  駆動モータ(駆動手段)
Ｆ  フィルムハーネス(配線)
【図１】
2015198751.tif 000003
【図２】
2015198751.tif 000004
【図３】
2015198751.tif 000005
【図４】
2015198751.tif 000006
【図５】
2015198751.tif 000007
【図６】
2015198751.tif 000008
【図７】
2015198751.tif 000009
【図８】
2015198751.tif 000010
【図９】
2015198751.tif 000011
【図１０】
2015198751.tif 000012
【図１１】
2015198751.tif 000013
【図１２】
2015198751.tif 000014
【図１３】
2015198751.tif 000015